(57)【要約】【課題】スピーカの周りの状況に応じて、放送の音量を調節すること。【解決手段】放送端末１５０は、スピーカ１７０の周りに配置されたマイク１８０を介して、スピーカの周りの騒音の音量レベルを測定し、測定した騒音の音量レベルに応じて、スピーカより出力する音声データの音量レベルを変える。【選択図】図１
2009005059.tif 000002
【特許請求の範囲】
【請求項１】
放送配信サーバより配信された音声データを放送する放送端末であって、
マイクを介して、放送を行う場所の騒音を取得する騒音収集部と、
騒音収集部で収集された騒音の音量レベルを測定する音量測定部と、
前記音量測定部で測定された前記騒音の音量レベルに応じて、スピーカより出力する音声データの音量レベルを特定する音量制御部と、
を備えることを特徴とする放送端末。
【請求項２】
請求項１に記載の放送端末であって、
前記音量制御部は、前記音量測定部で測定された前記騒音の音量レベルが大きければ大きいほど、スピーカより出力する音声データの音量レベルが大きくなるように制御すること、
を特徴とする放送端末。
【請求項３】
請求項２に記載の放送端末であって、
前記音量制御部は、前記音量測定部で測定された前記騒音の音量レベルに予め定められた値を加算することにより、スピーカより出力する音声データの音量レベルとすること、
を特徴とする放送端末。
【請求項４】
請求項１に記載の放送端末であって、
騒音の音量レベルの範囲を特定する情報毎に、当該範囲に対応する出力音量レベルを特定する情報が記憶された記憶部を備え、
前記音量制御部は、前記音量測定部で測定された前記騒音の音量レベルに対応する出力音量レベルを前記記憶部から特定し、特定した出力音量レベルをスピーカより出力する音声データの音量レベルとすること、
を特徴とする放送端末。
【請求項５】
請求項１に記載の放送端末であって、
前記放送配信サーバより配信される音声データの内容を特定する情報毎に、当該内容に対応する出力音量レベルを特定する情報が記憶された記憶部を備え、
前記音量制御部は、前記放送配信サーバより受信した音声データの内容に対応する出力音量レベルを前記記憶部から特定し、特定した出力音量レベルをスピーカより出力する音声データの音量レベルとすること、
を特徴とする放送端末。
【請求項６】
請求項１乃至５の何れか一項に記載の放送端末であって、
前記放送配信サーバより配信される音声データに優先的に放送すべき旨を特定する情報が付加されている場合には、当該優先的に放送すべき旨を特定する情報が付加されている音声データを他の音声データよりも先にスピーカより出力する処理を行う放送出力部を備えること、
を特徴とする放送端末。
【請求項７】
放送配信サーバより配信された音声データを放送する放送端末で行う音量制御方法であって、
マイクを介して、放送を行う場所の騒音を取得する騒音収集過程と、
騒音収集過程で収集された騒音の音量レベルを測定する音量測定過程と、
前記音量測定過程で測定された前記騒音の音量レベルに応じて、スピーカより出力する音声データの音量レベルを特定する音量制御過程と、
を備えることを特徴とする音量制御方法。
【請求項８】
請求項７に記載の音量制御方法であって、
前記音量制御過程は、前記音量測定過程で測定された前記騒音の音量レベルが大きければ大きいほど、スピーカより出力する音声データの音量レベルが大きくなるように制御する過程であること、
を特徴とする音量制御方法。
【請求項９】
請求項８に記載の音量制御方法であって、
前記音量制御過程は、前記音量測定過程で測定された前記騒音の音量レベルに予め定められた値を加算することにより、スピーカより出力する音声データの音量レベルとする過程であること、
を特徴とする音量制御方法。
【請求項１０】
請求項７に記載の音量制御方法であって、
前記放送端末は、騒音の音量レベルの範囲を特定する情報毎に、当該範囲に対応する出力音量レベルを特定する情報が記憶された記憶部を備え、
前記音量制御過程は、前記音量測定過程で測定された前記騒音の音量レベルに対応する出力音量レベルを前記記憶部から特定し、特定した出力音量レベルをスピーカより出力する音声データの音量レベルとする過程であること、
を特徴とする音量制御方法。
【請求項１１】
請求項７に記載の音量制御方法であって、
前記放送端末は、前記放送配信サーバより配信される音声データの内容を特定する情報毎に、当該内容に対応する出力音量レベルを特定する情報が記憶された記憶部を備え、
前記音量制御過程は、前記放送配信サーバより受信した音声データの内容に対応する出力音量レベルを前記記憶部から特定し、特定した出力音量レベルをスピーカより出力する音声データの音量レベルとする過程であること、
を特徴とする音量制御方法。
【請求項１２】
請求項７乃至１１の何れか一項に記載の音量制御方法であって、
前記放送配信サーバより配信される音声データに優先的に放送すべき旨を特定する情報が付加されている場合には、当該優先的に放送すべき旨を特定する情報が付加されている音声データを他の音声データよりも先にスピーカより出力する処理を行う放送出力過程を備えること、
を特徴とする音量制御方法。
【発明の詳細な説明】
【技術分野】
【０００１】
本発明は、放送配信サーバより配信された音声データを放送する際の音量を制御する技術に関する。
【背景技術】
【０００２】
ＩＰネットワークを介して複数の端末に一斉に放送を行う技術が知られている。
【０００３】
例えば、特許文献１に記載の技術では、告知放送サーバにおいて、音声パケットに、宛先アドレス情報、音声パケットの再生に役立つ参考情報等を添付して、ＩＰネットワークに接続されている端末装置に一斉に送信する技術が記載されている。
【０００４】
【特許文献１】特開２００２−３６８８０７号公報
【発明の開示】
【発明が解決しようとする課題】
【０００５】
特許文献１に記載の技術では、音声パケットに付加情報を添付してＩＰネットワークに接続されている端末装置に一斉に送信し、端末装置では受信した音声パケットを再生するように構成されているが、各端末装置の周囲において放送の音量レベルが大きすぎてうるさかったり、小さすぎて聞こえなかったりした場合、その都度、端末装置のオペレータが手動で音量調整を行わなければならない。
【０００６】
特に、スピーカから出力される音量が一緒でも、音を出力するスピーカの周りの騒音などの状態により、放送の聞こえ方は異なってくるため、放送される音声を十分に聞き取るためには、スピーカの周りの状況に応じて、その都度音量の調節を行わなければならず、不便であった。
【０００７】
そこで、本発明は、スピーカの周りの状況に応じて、放送の音量を調節することのできる技術を提供することを目的とする。
【課題を解決するための手段】
【０００８】
以上の課題を解決するため、本発明は、放送を行うスピーカの周りの騒音の音量レベルに応じて、スピーカより出力する音声データの音量レベルを変える技術を提供する。
【０００９】
例えば、本発明は、放送配信サーバより配信された音声データを放送する放送端末であって、マイクを介して、放送を行う場所の騒音を取得する騒音収集部と、騒音収集部で収集された騒音の音量レベルを測定する音量測定部と、前記音量測定部で測定された前記騒音の音量レベルに応じて、スピーカより出力する音声データの音量レベルを特定する音量制御部と、を備えることを特徴とする。
【発明の効果】
【００１０】
以上のように、本発明によれば、スピーカの周りの状況に応じて、放送の音量を調節することができる。
【発明を実施するための最良の形態】
【００１１】
図１は、本発明の第一の実施形態である放送システム１００の概略図である。
【００１２】
図示するように放送システム１００は、センタ側システム１１０と、拠点側システム１２０と、を備え、これらのシステムは、ネットワーク１９０を介して相互に情報を送受信することができるようにされている。
【００１３】
センタ側システム１１０は、放送配信サーバ１１１を備えており、ルータ１１２を介してネットワーク１９０に接続されている。
【００１４】
放送配信サーバ１１１は、後述する拠点側システム１２０の放送端末１５０に、ユニキャスト通信やマルチキャスト通信などにより、放送データをＩＰパケットに格納して送信する。
【００１５】
拠点側システム１２０には、第一拠点１３０Ａと、第二拠点１３０Ｂと、第三拠点１３０Ｃと、を備えており、各拠点は、放送端末１５０と、スピーカ１７０と、マイク１８０と、を有しており、ルータ１４０を介してネットワーク１９０に接続されている。
【００１６】
なお、本実施形態においては、拠点側システム１２０に、第一拠点１３０Ａ、第二拠点１３０Ｂ及び第三拠点１３０Ｃの三つの拠点を設けているが、拠点の数については適宜選択可能である。
【００１７】
そして、例えば、各拠点は、図２に示すように配置する。
【００１８】
図２は、各拠点のイメージ図である。図２では、銀行等の店舗においてスピーカから様々な内容の音声を放送する例を示す。
【００１９】
図示するように、第一の拠点１３０Ａは、受付カウンタのオペレータにスピーカ１７０から放送を行うようにしている。ここで、受付カウンタのオペレータに近い位置にマイク１８０を配置することで、実際の放送を聞く人にどのような音量で聞こえるかを把握することができる。
【００２０】
また、第二の拠点１３０Ｂは、待合室を利用する人にスピーカ１７０から音声を放送するようにしている。ここでも、待合室のソファに近い位置にマイク１８０を配置することで、実際の放送を聞く人にどのような音量で聞こえるかを把握することができる。
【００２１】
そして、第三の拠点１３０Ｃは、ＡＴＭ（Automatic Teller Machine）を利用する人にスピーカ１７０から放送するようにしている。ここでも、ＡＴＭに近い位置にマイク１８０を配置することで、実際の放送の聞く人にどのような音量で聞こえるかを把握することができる。
【００２２】
ここで、スピーカ１７０及びマイク１８０については、汎用のものを用いればよいため、詳細な説明は省略する。
【００２３】
図３は、放送端末１５０の概略図である。
【００２４】
図示するように、放送端末１５０は、通信インターフェース部１５１と、放送ファイル記憶部１５２と、放送出力部１５３と、Ｄ／Ａ変換部１５４と、アナログ波形記憶部１５５と、アナログ出力部１５６と、アナログ入力部１５７と、騒音収集タイマ１５８と、騒音収集部１５９と、音量測定部１６０と、システム情報記憶部１６１と、音量制御部１６２と、全体制御部１６３と、ボリューム表示部１６４と、ボリューム入力部１６５と、を備える。
【００２５】
通信インターフェース部１５１は、ルータ１４０を介して、ネットワーク１９０を通じた情報の送受信を行う。特に、本実施形態においては、放送配信サーバ１１１から配信される放送ファイル（音声データ）を受信する。
【００２６】
放送ファイル記憶部１５２は、通信インターフェース部１５１で受信した放送ファイルを記憶する。
【００２７】
放送出力部１５３は、番組の順番に放送ファイルを並び替えて、Ｄ／Ａ変換部１５４に出力する。なお、番組の順番については、構成情報によりユーザにて設定すればよい。
【００２８】
また、放送出力部１５３は、全体制御部１６３からの指示に応じて、Ｄ／Ａ変換部１５４に出力する音声データの音量を調節する。
【００２９】
Ｄ／Ａ変換部１５４は、放送出力部１５３から入力されたデジタル信号である音声データをアナログ信号である音声信号に変換して、アナログ波形記録部１５５へ出力する。
【００３０】
アナログ波形記憶部１５５は、Ｄ／Ａ変換部１５４でアナログ信号に変換された音声信号を記憶するとともに、当該音声信号をアナログ出力部１５６に出力する。
【００３１】
アナログ出力部１５６は、アナログ波形記憶部１５５より入力された音声信号をスピーカ１７０に出力する。
【００３２】
アナログ入力部１５７は、マイク１８０で収集された音声信号の入力を受け付けて、騒音収集部１５９に出力する。
【００３３】
騒音収集タイマ１５８は、時間を計測し、予め定められた時間（周期）において、予め定められた信号を騒音収集部１５９に出力する。
【００３４】
騒音収集部１５９は、騒音収集タイマ１５８からの信号に応じて、アナログ入力部１５７より入力された音声信号から、アナログ波形記憶部１５５に記憶されている音声信号を減算して、騒音信号を生成し、音量測定部１６０に出力する。
【００３５】
なお、アナログ入力部１５７より入力された音声信号から、アナログ波形記憶部１５５に記憶されている音声信号を減算する処理は、スピーカ１７０から放送された音声信号をマイク１８０で収集するタイムラグや、スピーカ１７０からマイク１８０までの距離等に応じた減衰率等を考慮して公知の補正をかけることで、マイク１８０で取得された音声信号からスピーカ１７０より出力された音声信号を取り除いて、マイク１８０で収集した騒音のみを取り出す処理である。
【００３６】
音量測定部１６０は、騒音収集部１５９から入力された騒音信号の音量レベルを計測する。ここで、本実施形態においては、音量レベルとしてｄＢ（デジベル）数を計測する。そして、音量測定部１６０は、計測した音量レベルをシステム情報記憶部１６１に出力する。
【００３７】
システム情報記憶部１６１は、放送端末１５０のシステムに関する情報を記憶する。特に、本実施形態においては、音量測定部１６０で計測された騒音信号の音量レベルを記憶する。
【００３８】
音量制御部１６２は、音量測定部１６０で計測されシステム情報記憶部１６１に記憶された騒音信号の音量レベルに応じて、スピーカ１７０から出力する放送の音量レベルを決定する。
【００３９】
ここで、本実施形態においては、音量制御部１６２は、音量測定部１６０で計測された騒音信号の音量レベルに予め定められた値を加算したものを、放送の音量レベルとする。
【００４０】
そして、音量制御部１６２は、このようにして決定した放送の音量レベルをシステム情報記憶部１６１に送り記憶させるとともに、当該音量レベルを全体制御部１６３に出力する。
【００４１】
全体制御部１６３は、放送端末１５０で行う処理の全般を制御する。特に本実施形態においては、音量制御部１６２において決定された放送の音量レベル、または、後述するボリューム入力部１６５を介して入力された音量レベル、を放送出力部１５３に出力し、当該音量レベルで放送を行うように指示する。
【００４２】
なお、全体制御部１６３は、後述するボリューム入力部１６５で、スピーカ１７０から出力する放送の音量レベルを、オペレータの入力値にするか、自動設定値にするか、の選択を受け付けて、オペレータの入力値が選択されている場合にはボリューム入力部１６５を介して入力された音量レベル、自動設定値が選択されている場合には音量制御部１６２において決定された音量レベル、を放送出力部１５３に出力する。
【００４３】
ボリューム表示部１６４は、スピーカ１７０で放送されている音量レベルを表示する。
【００４４】
ボリューム入力部１６５は、放送端末１５０のオペレータより、スピーカ１７０から出力する放送の音量レベルを、オペレータの入力値にするか、自動設定値にするか、の選択、および、スピーカ１７０から出力する放送の音量レベルの入力を受け付ける。
【００４５】
以上に記載した放送端末１５０は、コンピュータがプログラムを実行することにより実現することができる。また、例えば、ＡＳＩＣ（Application Specific Integrated Circuit）やＦＰＧＡ（Field Programmable Gate Array）等の集積ロジックＩＣによりハード的に実行されるものであってもよいし、あるいは、ＤＳＰ（Digital Signal Processor）等の計算機によりソフトウェア的に実行されるものであってもよい。
【００４６】
以上に記載した放送端末１５０における音量レベルの決定処理を図４に示すフローチャートを用いて説明する。
【００４７】
まず、放送端末１５０の騒音収集タイマ１５８は、予め定められた時間が経過したか否かを確認する（Ｓ１０）。そして、予め定められた時間が経過した場合に（ステップＳ１０でＹｅｓ）、騒音収集タイマ１５８は、騒音収集部１５９に所定の信号を出力し、このような信号の入力を受けた騒音収集部１５９は、アナログ入力部１５７を介して、マイクで収集した音声信号を取得する（Ｓ１１）。
【００４８】
そして、騒音収集部１５９は、アナログ波形記憶部１５５に記憶されている音声信号に公知の補正を行い、補正後の音声信号を反転させて、マイクで収集した音声信号に加算することで、スピーカ１７０から出力した音声信号を除去して（Ｓ１２）、騒音信号として、音量測定部１６０に出力する。
【００４９】
音量測定部１６０では、騒音収集部１５９から入力された騒音信号の音量レベルを計測し（Ｓ１３）、計測した音量レベルをシステム情報記憶部１６１に出力する。
【００５０】
そして、システム情報記憶部１６１は、入力された音量レベルを記憶する（Ｓ１４）。
【００５１】
次に、音量制御部１６２は、音量測定部１６０で計測された騒音信号の音量レベルに予め定められた値を加算したものを、放送の音量レベルとする（Ｓ１５）。
【００５２】
音量制御部１６２で特定された音量レベルは、全体制御部１６３を介して、放送出力部１５３に入力されて、放送出力部１５３は、入力された音量レベルで、放送する音声信号を生成し（Ｓ１６）、アナログ波形記憶部１５５に出力する。
【００５３】
アナログ波形記憶部１５５では、放送出力部１５３より入力した音声信号を記憶する（Ｓ１７）。
【００５４】
そして、アナログ波形記憶部１５５は、音声信号をアナログ出力部１５６に出力し、当該アナログ出力部１５６に接続されているスピーカ１７０で放送を行う（Ｓ１８）。
【００５５】
以上のように、本実施形態においては、各拠点に配置されている放送端末１５０においてスピーカ１７０の周囲の騒音に応じた音量レベルで放送が行われるため、各放送端末１５０のオペレータが個別に設定を行う必要がなくなる。
【００５６】
次に、本発明の第二の実施形態について説明する。
【００５７】
本発明の第二の実施形態においては、センタ側システムから配信される放送データの内容に応じて、放送端末において音量レベルを変化させる。以下、詳細に説明する。
【００５８】
図５は、本発明の第二の実施形態である放送システムに用いられる放送配信サーバ２１１の概略図である。
【００５９】
図示するように、放送配信サーバ２１１は、記憶部２１１ａと、制御部２１１ｃと、通信インターフェース部２１１ｆと、を備える。
【００６０】
記憶部２１１ａには、放送データ記憶領域２１１ｂが設けられている。
【００６１】
放送データ記憶領域２１１ｂには、後述する放送端末１５０に配信する放送データが格納される。
【００６２】
制御部２１１ｃは、通信制御部２１１ｄと、放送データ処理部２１１ｅと、を備える。
【００６３】
通信制御部２１１ｄは、ネットワーク１９０を介した通信全般を制御する。特に、放送端末２５０に配信する放送データを放送データ処理部２１１ｅから取得し、後述する通信インターフェース部２１１ｆを介して、送信する処理を行う。
【００６４】
放送データ処理部２１１ｅは、放送端末２５０に配信する放送データを放送データ記憶領域２１１ｂから取得して、取得した放送データに優先的に放送すべき旨を特定する情報を付加して、通信制御部２１１ｄに出力する処理を行う。
【００６５】
例えば、放送データ記憶領域２１１ｂに記憶されている放送データの内、緊急放送等、優先して放送すべきと特定されている放送データを送信する場合には、送信する放送データのペイロード部分に優先的に放送すべき旨を特定する情報を付加して、通信制御部２１１ｄに出力する。
【００６６】
通信インターフェース部２１１ｆは、ネットワークを介して情報の送受信を行うためのインターフェースである。
【００６７】
以上に記載した放送配信サーバ２１１は、ＣＰＵと、メモリと、ＨＤＤ等の外部記憶装置と、ＣＤ−ＲＯＭやＤＶＤ−ＲＯＭ等の可搬性を有する記憶媒体から情報を読み出す読取装置と、キーボードやマウスなどの入力装置と、ディスプレイなどの出力装置と、通信ネットワークに接続するためのＮＩＣ（Network Interface Card）等の通信装置と、を備えた一般的なコンピュータで実現できる。
【００６８】
例えば、記憶部２１１ａは、ＣＰＵがメモリ又は外部記憶装置を利用することにより実現可能であり、制御部２１１ｃは、外部記憶装置に記憶されている所定のプログラムをメモリにロードしてＣＰＵで実行することで実現可能であり、通信インターフェース部２１１ｆは、ＣＰＵが通信装置を利用することで実現可能である。
【００６９】
この所定のプログラムは、読取装置を介して記憶媒体から、あるいは、通信装置を介してネットワークから、外部記憶装置にダウンロードされ、それから、メモリ上にロードされてＣＰＵにより実行されるようにしてもよい。また、読取装置を介して記憶媒体から、あるいは、通信装置を介してネットワークから、メモリ上に直接ロードされ、ＣＰＵにより実行されるようにしてもよい。
【００７０】
図６は、本発明の第二の実施形態である放送システムに用いられる放送端末２５０の概略図である。
【００７１】
図示するように、放送端末１５０は、通信インターフェース部１５１と、放送ファイル記憶部２５２と、放送出力部２５３と、Ｄ／Ａ変換部１５４と、アナログ波形記憶部１５５と、アナログ出力部１５６と、アナログ入力部１５７と、騒音収集タイマ１５８と、騒音収集部１５９と、音量測定部１６０と、システム情報記憶部１６１と、音量制御部１６２と、全体制御部２６３と、ボリューム表示部１６４と、ボリューム入力部１６５と、分配処理部２６６と、を備え、第一の実施形態と比較して、放送ファイル記憶部２５２、放送出力部２５３、分配処理部２６６及び全体制御部２６３が異なっているため、以下、これらの異なっている点に関連する事項について説明する。
【００７２】
分配処理部２６６は、通信インターフェース部１５１において受信した放送ファイルを取得し、優先的に放送すべき旨を特定する情報が当該放送ファイルに付加されているか否かを確認し、優先的に放送すべき旨を特定する情報が付加されている放送ファイルについては後述する放送ファイル記憶部２５２の優先ファイル記憶領域２５２ａに、優先的に放送すべき旨を特定する情報が付加されていない放送ファイルについては通常ファイル記憶領域２５２ｂに、格納する処理を行う。
【００７３】
放送ファイル記憶部２５２は、優先ファイル記憶領域２５２ａと、通常ファイル記憶領域２５２ｂと、を備える。
【００７４】
優先ファイル記憶領域２５２ａには、優先的に放送すべき旨を特定する情報が付加されている放送ファイルが記憶される。
【００７５】
通常ファイル記憶領域２５２ｂには、優先的に放送すべき旨を特定する情報が付加されていない放送ファイルが記憶される。
【００７６】
放送出力部２５３は、番組構成部２５３ａと、優先制御部２５３ｂと、を備える。
【００７７】
番組構成部２５３ａは、通常ファイル記憶領域２５２ｂから放送ファイルを読み出し、番組の順番に放送ファイルを並び替えて、優先制御部２５３ｂに出力する。なお、番組については、構成情報によりユーザにて設定する。
【００７８】
優先制御部２５３ｂは、優先ファイル記憶領域２５２ａに放送ファイルが格納されているか否かを確認し、格納されている場合には、優先ファイル記憶領域２５２ａに格納されている放送ファイルから順に、Ｄ／Ａ変換部１５４に出力する。一方、格納されていない場合には、番組構成部２５３ａから出力された放送ファイルの順番にＤ／Ａ変換部１５４に出力する。
【００７９】
全体制御部２６３は、第一の実施形態と同様の処理を行うほか、ボリューム入力部１６５ｊを介して、ボリュームが切られ又は絞られている場合でも、優先ファイル記憶領域２５２ａに記憶されている放送ファイルについては、音量制御部１６２において決定された放送の音量レベルで放送する処理を行う。
【００８０】
以上のように、本実施形態における放送システム１００を構成したので、緊急放送等の優先的に放送すべき放送ファイルについては、通常の放送に優先させて放送することができ、また、このような優先的に放送すべき放送ファイルについては、ボリューム入力部１６５ｊを介して、ボリュームが切られ又は絞られている場合でも、優先ファイル記憶領域２５２ａに記憶されている放送ファイルについては、音量制御部１６２において決定された放送の音量レベルで放送することができる。
【００８１】
以上に記載した実施形態においては、音量制御部１６２は、音量測定部１６０で計測されシステム情報記憶部１６１に記憶された騒音信号の音量レベルに予め定められた値を加算したものを、放送の音量レベルとしているが、このような態様に限定されず、例えば、図７（音量テーブル１６１ａの概略図）に示されている音量テーブル１６１ａをシステム情報記憶領域１６１に記憶しておき、この音量テーブル１６１ａに従って音量レベルを決定することも可能である。
【００８２】
ここで、音量テーブル１６１ａは、図示するように、放送形態欄１６１ｂと、騒音レベル欄１６１ｃと、出力レベル欄１６１ｄと、を備える。
【００８３】
放送形態欄１６１ｂには、優先的に放送すべき放送ファイルと、その他のファイルと、を特定する情報が格納される。ここでは、優先的に放送すべき放送ファイルについては「優先」の文字列が、その他のファイルについては「通常」の文字列が、本欄に格納される。
【００８４】
騒音レベル欄１６１ｃには、騒音の音量レベルを特定する情報が格納される。ここでは、優先的に放送すべき放送ファイルに対応する行には、「Ａ未満」と「Ａ以上」の文字列が格納されており、騒音の音量レベルが予め定められたＡｄＢ（デシベル）未満又は以上の範囲で、騒音の音量レベルの範囲を特定している。
【００８５】
また、優先的に放送すべき放送ファイルではないファイルに対応する行には、「Ｂ〜Ｃ」、「Ｃ〜Ｄ」及び「Ｄ〜Ｅ」の文字列が格納されており、騒音の音量レベルが予め定められたＢｄＢ以上ＣｂＢ未満、ＣｄＢ以上ＤｄＢ未満又はＤｄＢ以上ＥｄＢ未満の範囲で、騒音の音量レベルの範囲を特定している。
【００８６】
出力レベル１６１ｄには、放送形態毎における騒音レベルに対応する放送の音量レベルを特定する情報が格納される。なお、ここでは、騒音の音量レベルに加算する加算値が格納されているが、このような態様に限定されず、放送の音量レベルを格納してもよい。
【００８７】
このような、音量テーブル１６１ａを記憶しておくことで、音量制御部１６２は、各放送形態において騒音レベルに対応する音量レベルを出力レベル欄１６１ｄから特定して、放送形態毎に放送の音量レベルを放送出力部２５３に指示することで、放送出力部２５３の優先制御部２５３ｂは、指示を受けた音量レベルで放送ファイルをＤ／Ａ変換部１５４に出力する。
【００８８】
また、例えば、図８（音量テーブル２６１ａの概略図）に示されている音量テーブル２６１ａをシステム情報記憶領域１６１に記憶しておき、この音量テーブル２６１ａに従って音量レベルを決定することも可能である。
【００８９】
ここで、音量テーブル２６１ａは、図示するように、放送形態欄２６１ｂと、放送内容欄２６１ｃと、出力レベル欄２６１ｄと、を備える。
【００９０】
放送形態欄２６１ｂには、優先的に放送すべき放送ファイルと、その他のファイルと、を特定する情報が格納される。ここでは、優先的に放送すべき放送ファイルについては「優先」の文字列が、その他のファイルについては「通常」の文字列が、本欄に格納される。
【００９１】
放送内容欄２６１ｃには、放送配信サーバ２１１から送信されてきた放送ファイルの内容を特定する情報が格納される。例えば、放送配信サーバ２１１において放送ファイルを送信する際に、放送データ処理部２１１ｅが放送内容に対応して予め定められている識別子を放送ファイルに付加して送信し、当該識別子に対応する情報を放送内容欄２６１ｃに格納しておく。
【００９２】
出力レベル２６１ｄには、放送形態毎における放送内容に対応する放送の音量レベルを特定する情報が格納される。なお、ここでは、騒音の音量レベルに加算する加算値が格納されているが、このような態様に限定されず、放送の音量レベルを格納してもよい。
【００９３】
このような、音量テーブル２６１ａを記憶しておくことで、音量制御部１６２は、各放送形態における放送内容に対応する出力レベル欄２６１ｄより、騒音レベルに対応する音量レベルを特定して、放送形態毎に放送の音量レベルを放送出力部２５３に指示することで、放送出力部２５３の優先制御部２５３ｂは、指示を受けた音量レベルで放送ファイルをＤ／Ａ変換部１５４に出力する。
【００９４】
また、以上のように構成される放送システムにおいて、放送端末１５０、２５０の音量測定部１６０で測定された騒音信号の音量レベルについては、センタ側システム１１０の、例えば、放送配信サーバ１１１に送信することで、ＴｅｌｎｅｔやＳＮＭＰ（Simple Network Management Protocol）等を用いて、センタ側システム１１０側から放送端末１５０、２５０の音量レベルを制御するようにしてもよい。このような場合には、例えば、放送配信サーバ１１１や他の管理サーバから音量レベルを指定した指示コマンド等を放送端末１５０、２５０に送信し、放送端末１５０、２５０では、全体制御部１６３、２６３が指示された音量レベルで放送を行うように、放送出力部１５３、２５３を制御すればよい。
【図面の簡単な説明】
【００９５】
【図１】第一の実施形態である放送システムの概略図。
【図２】各拠点のイメージ図。
【図３】放送端末の概略図。
【図４】放送端末における音量レベルの決定処理を示すフローチャート。
【図５】第二の実施形態である放送システムに用いられる放送配信サーバの概略図。
【図６】第二の実施形態である放送システムに用いられる放送端末の概略図。
【図７】音量テーブルの概略図。
【図８】音量テーブルの概略図。
【符号の説明】
【００９６】
１００  放送システム
１１０  センタ側システム
１１１、２１１  放送配信サーバ
１２０  拠点側システム
１５０、２５０  放送端末
１７０  スピーカ
１８０  マイク
【図１】
2009005059.tif 000003
【図２】
2009005059.tif 000004
【図３】
2009005059.tif 000005
【図４】
2009005059.tif 000006
【図５】
2009005059.tif 000007
【図６】
2009005059.tif 000008
【図７】
2009005059.tif 000009
【図８】
2009005059.tif 000010